【事件の表示】
　平成１０年特許願第３５４７６５号「切換装置」拒絶査定に対する審判事件［平成１１年１１月　９日出願公開、特開平１１−３１３３１３］について、次のとおり審決する。
【結　論】
　本件審判の請求は、成り立たない。
【理　由】
１．手続きの経緯・本願発明
　本願は、平成５年１０月６日に出願した特願平５−２７６１６８号の一部を平成１０年１２月１４日に新たな特許出願としたものであって、その請求項１に係る発明は、平成１４年４月２６日付けの手続補正書により補正された明細書の特許請求の範囲の請求項１に記載された事項により特定されるとおりの次のものである。
「【請求項１】静止衛星から送信された信号に関連する超高周波信号がコンバータからそれぞれ入力される複数の入力端子と、
　これら入力端子にそれぞれ入力側が接続され、同数の分配出力側を有し、各分配側の出力が等しい複数の分配器と、
　各分配器の分配出力側それぞれに接続された上記分配器と同数の入力側と、１つの出力側とを、それぞれが有し、これら複数の入力側のうち１つを選択して前記出力側に接続する複数の選択手段と、
　これら複数の選択手段に対応して設けられ、対応する選択手段の出力側に接続され、かつ上記各超高周波信号の受信装置に接続される複数の出力端子とを、
有し、上記各選択手段は、対応する上記出力端子に上記受信装置から供給される電圧の値に応じて上記各入力側の１つを選択する制御手段を有する切換装置。」
　
２．引用例の記載
　これに対し、原査定の拒絶の理由に引用した特開平５−１４９００号公報（以下「引用例１」という。）、特開平５−１４８９９号公報（以下「引用例２」という。）には、下記の事項が記載されている。
（引用例１）
「【０００１】
【産業上の利用分野】本発明はＢＳ放送、ＣＳ放送等の衛星放送の受信を共有の衛星アンテナで行う衛星放送受信システム及びこのシステムに用いる切換分配器に関する。」
「【０００８】
【実施例】以下、本発明の実施例を図面を用いて説明する。図１及び図２には本発明の第１実施例が示されている。
【０００９】図２には衛星放送受信システムの回路ブロック図が示されている。図２において、衛星アンテナはＢＳアンテナ１とＣＳ１アンテナ２とＣＳ２アンテナ３の３本が設置され、ＢＳアンテナ１はＢＳ放送波、ＣＳ１アンテナ２はＣＳ１放送波、ＣＳ２アンテナ３はＣＳ２放送波をそれぞれ集束させる。
【００１０】ＢＳアンテナ１で集束するＢＳ放送波はＢＳコンバータ４に取込まれる。ＢＳ放送波は円偏波であり、ＢＳコンバータ４は１種類のＢＳ放送信号を所定の周波数に変換して信号ケーブル５を介して切換分配器６の第１入力端子ｔ１に導く。
【００１１】ＣＳ１アンテナ２で集束するＣＳ１放送波はＣＳ１コンバータ７に取込まれる。ＣＳ１放送波は直交する２種の直線偏波であり、ＣＳ１コンバータ７は水平偏波放送信号と垂直偏波放送信号をそれぞれ所定の周波数に変換して２本の信号ケーブル８，９を介して切換分配器６の第２及び第３入力端子ｔ２，ｔ３にそれぞれ導く。
【００１２】ＣＳ２アンテナ３で集束するＣＳ２放送波はＣＳ２コンバータ１０に取込まれる。ＣＳ２放送波はＣＳ１放送波と同様に直交する２種の直線偏波であり、ＣＳ２コンバータ１０は水平偏波放送信号と垂直偏波放送信号をそれぞれ所定の周波数に変換して２本の信号ケーブル１１，１２を介して切換分配器６の第４及び第５入力端子ｔ４，ｔ５にそれぞれ導く。
【００１３】切換分配器６は４つの分配出力端子ｔ６〜ｔ９を有し、この各分配出力端子ｔ６〜ｔ９には前記５本の入力放送信号の内所望の放送信号を別個独立に選択して出力するもので、この詳しい構成は図１に示されている。各分配出力端子ｔ６〜ｔ９にはそれぞれ信号ケーブル１３〜１６が接続され、この各信号ケーブル１３〜１６の他端がＢＳ／ＣＳ受信機１７〜２０に接続されている。
【００１４】各ＢＳ／ＣＳ受信機１７〜２０は電源スイッチにて電源がオンされるとコンバータ電源を各信号ケーブル１３〜１６を介して出力するよう構成されている。又、各ＢＳ／ＣＳ受信機１７〜２０は放送選択スイッチを有し、このスイッチで５種類（ＢＳ放送、ＣＳ１の水平偏波放送等）の放送を選択できる。この放送選択スイッチによる選択情報はパルスコード回路にてコントロールパルスに変換され、このコントロールパルスを各信号ケーブル１３〜１６を介して前記コンバータ電源に重畳して出力するよう構成されている。
【００１５】図１には切換分配器６の回路ブロック図が示されている。図１において、切換分配器６には分配出力端子ｔ６〜ｔ９と同数の第１〜第４切換スイッチＳＷ１〜ＳＷ４が設けられ、この各切換スイッチＳＷ１〜ＳＷ４には５つの入力放送信号が全て入力されている。各切換スイッチＳＷ１〜ＳＷ４は５つの入力放送信号の１信号を切換制御信号に基づいて選択し、この選択した放送信号はダイオードＤ１及びコントロールパルストラップ回路２１を介して各分配出力端子ｔ６〜ｔ９に供給されている。
【００１６】また、各分配出力端子ｔ６〜ｔ９はコイルＬ及びダイオードＤ２を介してレギュレータ２２に接続され、このレギュレータ２２はコントロールパルス検出回路２３及びマイコン２４に定電圧を供給する。又、各分配出力端子ｔ６〜ｔ９は前記コイルＬを介してコントロールパルス検出回路２３に接続され、このコントロールパルス検出回路２３は伝送されてくるコントロールパルスを検出してこれをマイコン２４に出力する。
【００１７】マイコン２４はコントロールパルスをデコードし、このデコードした選択情報に基づき選択情報が入力された分配出力端子ｔ６〜ｔ９に対応する第１〜第４切換スイッチＳＷ１〜ＳＷ４に切換制御信号を出力する。
【００１８】以下、上記構成の作用について説明する。４台のＢＳ／ＣＳ受信機１７〜２０の例えば１台のＢＳ／ＣＳ受信機１７がその電源スイッチをオンし、且つ、放送選択スイッチにてＢＳ放送を選択する。すると、コンバータ電源が信号ケーブル１３を介して出力されると共にコントロールパルスがこれに重畳されて出力される。ここで、コントロールパルスはディジタル信号であるため電圧変動に強く確実に伝送される。
【００１９】レギュレータ２２はコンバータ電源にてコントロールパルス検出回路２３及びマイコン２４に電源を供給し、マイコン２４にはコントロールパルス検出回路２３よりコントロールパルスが入力される。マイコン２４はこのコントロールパルスをデコードして第１切換スイッチＳＷ１に切換制御信号を出力する。
【００２０】第１切換スイッチＳＷ１はＢＳ放送用端子を選択し、前記コンバータ電源はこの第１切換スイッチＳＷ１より信号ケーブル５を介してＢＳコンバータ４に供給される。この電源供給によりＢＳコンバータ４が駆動し、ＢＳコンバータ４はＢＳ放送信号を出力する。この出力したＢＳ放送信号は信号ケーブル５を介して切換分配器６内に導かれ、第１切換スイッチＳＷ１を通って第１分配出力端子ｔ６に導かれる。そして、ＢＳ放送信号は信号ケーブル１３を介してＢＳ／ＣＳ受信機１７に出力される。
【００２１】また、この状況にあって他のＢＳ／ＣＳ受信機１８〜２０も電源オンされ、且つ所望の放送信号が選択されると、上記と同様にして第２乃至第４切換スイッチＳＷ２〜ＳＷ４が所望の放送信号端子を選択する。そして、選択されたＣＳ１コンバータ７やＣＳ２コンバータ１０にコンバータ電源が供給されてＣＳ１コンバータ７やＣＳ２コンバータ１０が駆動して各ＢＳ／ＣＳ受信機１８〜２０には所望の放送信号が出力される。従って、各ＢＳ／ＣＳ受信機１７〜２０には切換分配器６との間を１本の信号ケーブル１３〜１６で接続するだけで別個独立に所望の放送を受信できる。」
　これらの記載によれば、引用例１には、
　ＢＳ放送、ＣＳ放送等の衛星放送信号がコンバータ４、７、１０からそれぞれ入力される複数の入力端子ｔ１〜ｔ５と、
　前記入力端子ｔ１〜ｔ５は、それぞれ同数の分配出力側を有し、
  前記各分配出力側それぞれに接続された前記入力端子ｔ１〜ｔ５と同数の入力側と、１つの出力側とを、それぞれが有し、これら複数の入力側のうち１つを選択して前記出力側に接続する複数の切換スイッチＳＷ１〜ＳＷ４と、
　これら複数の切換スイッチＳＷ１〜ＳＷ４に対応して設けられ、対応する切換スイッチＳＷ１〜ＳＷ４の出力側に接続され、かつ前記各衛星放送信号の受信装置１７〜２０に接続される複数の分配出力端子ｔ６〜ｔ９とを有し、
　前記各切換スイッチＳＷ１〜ＳＷ４は、対応する前記分配出力端子ｔ６〜ｔ９に前記受信装置１７〜２０から供給されるコントロールパルスに応じて前記各入力側の１つを選択するマイコン２４を有する切換分配器
が記載されている。
（引用例２）
「【００１８】各コンバータ電源検出回路２１ａ，２１ｂはコンバータ電源の電圧レベルを検出し、１５Ｖ（水平偏波の放送選択時）であればＨ信号、１１Ｖ（垂直偏波の放送選択時）であればＬ信号を電源回路２０及び各対応する切換スイッチＳＷａ，ＳＷｂにそれぞれ出力する。
【００１９】・・・各切換スイッチＳＷａ，ＳＷｂはＨ信号出力のとき水平偏波用の変換部１４出力を、Ｌ信号出力のとき垂直偏波用の変換部１５出力をそれぞれ選択するよう切り換える。
【００２０】以下、上記構成の作用について説明する。一方のＢＳ／ＣＳ受信機７ａ（又は７ｂ）を操作してＣＳ放送を選択し、且つ、水平偏波の放送を選択すると、ＢＳ／ＣＳ受信機７ａ（又は７ｂ）より１５Ｖのコンバータ電源がＣＳコンバータ９に送られる。すると、コンバータ電源検出回路２１ａ（又は２１ｂ）がＨ信号を出力して電源回路２０が水平偏波用の変換部１４へ電源供給すると共に切換スイッチＳＷａ（又はＳＷｂ）が水平偏波用の変換部１４出力側（Ｈ端子側）に接続される。従って、入力プローブ１２よりピックアップされた水平偏波信号は変換部１４によって中間周波の水平偏波信号に変換され、この変換された水平偏波信号が切換スイッチＳＷａ（又はＳＷｂ）を通り信号ケーブル１０（又は１１）を介してＢＳ／ＣＳ受信機７ａ（又は７ｂ）に供給される。」
「【００２２】この状態にあって、一方のＢＳ／ＣＳ受信機７ａ（又は７ｂ）の選択を垂直偏波の放送に変換すると、一方のＢＳ／ＣＳ受信機７ａ（又は７ｂ）が送るコンバータ電源が１１Ｖのレベルに変更される。すると、コンバータ電源検出回路２１ａ（又は２１ｂ）がＬ信号を電源回路２０及び対応する切換スイッチＳＷａ（又はＳＷｂ）に出力する。電源回路２０は垂直偏波用の変換部２０にも電源供給を開始し、対応する切換スイッチＳＷａ（又はＳＷｂ）が垂直偏波用の変換部１５出力側（Ｌ端子側）に接続を切り換える。」
　
３．対比・判断
　本願の請求項１に係る発明（以下「前者」という。）と上記引用例１に記載の発明（以下「後者」という。）を比較する。
　両者は、いずれも切換装置であって、
　後者の「衛星放送信号」、「入力端子ｔ１〜ｔ５」、「切換スイッチＳＷ１〜ＳＷ４」、「分配出力端子ｔ６〜ｔ９」、「マイコン２４」は、それぞれ前者の「超高周波信号」、「入力端子」、「選択手段」、「出力端子」、「制御手段」に対応している。
　したがって、両者は、静止衛星から送信された信号に関連する超高周波信号がコンバータからそれぞれ入力される複数の入力端子と、
　これら入力端子にそれぞれ入力側が接続され、同数の分配出力側を有し、
　各分配出力側それぞれに接続された同数の入力側と、１つの出力側とを、それぞれが有し、これら複数の入力側のうち１つを選択して前記出力側に接続する複数の選択手段と、
　これら複数の選択手段に対応して設けられ、対応する選択手段の出力側に接続され、かつ上記各超高周波信号の受信装置に接続される複数の出力端子とを、
有し、上記各選択手段は、対応する上記出力端子に上記受信装置から供給される制御信号に応じて上記各入力側の１つを選択する制御手段を有する切換装置
である点で一致し、
（１）前者は、これら入力端子にそれぞれ入力側が接続され、同数の分配出力側を有し、各分配側の出力が等しい複数の分配器であるのに対し、後者はそうではない点、
（２）制御信号が、前者では、電圧の値であるのに対し、後者では、コントロールパルスである点
で相違する。
　次に、上記相違点について検討する。
　相違点（１）について
　衛星放送受信アンテナ２のＢＳコンバータ３と各加入者１ａ、１ｂ・・・１ｎの衛星放送チューナー５との間に分配器４を設けるようにした衛星放送受信システムは、特開昭６４−２９１２６号公報にみられるように周知である。
　そうすると、後者の「前記入力端子ｔ１〜ｔ５は、それぞれ同数の分配出力側を有」する構成をこのような分配器で構成するようにすることは当業者が容易に推考し得ることである。
　その際、分配器の各分配側の出力を等しくすることは当然行われるべきことであって、この点を格別のものとすることはできない。
　相違点（２）について
　電圧の値に応じて切換手段を切り換えることは上記引用例２に記載されており、後者において、選択手段を切り換える制御手段を電圧の値に応じて制御するようなものとすることは、当業者が容易になし得ることである。
　また、本願発明の効果についてみても、上記事項の採用に伴って当然に予測される程度のものにすぎず、格別顕著なものがあるとは認められない。
　
４．むすび
　以上のとおりであって、本願の請求項１に係る発明は、上記引用例１、２に記載された発明及び周知技術に基いて当業者が容易に発明をすることができたものであるから、特許法第２９条第２項の規定により特許を受けることができない。
　よって、結論のとおり審決する。